(57)【要約】【課題】認証にかかる手間を増加させることなく、セキュリティ性を向上させたルートチェックを実施することができる入退室管理システムを提供する。【解決手段】入退室管理システムにおいて、所持する人物毎に固有の認証情報が予め記憶された第１のタグと、人物に所持され、認証情報が予め記憶された第２のタグと、区画の扉に対応して設けられ、認証操作により第１のタグの認証情報を読み取って認証を行い、当該認証に成功した場合に扉を通行可能とする第１の認証手段と、扉へと通じる通路等に設けられ、通路等を通行する人物が所持する第２のタグの認証情報を無線通信により読み取って認証を行う第２の認証手段と、所定順序で第１及び第２の認証手段における認証が行われたか否かを判定する判定手段と、を備え、第１及び第２の認証手段は、認証時に所定順序で認証が行われていないと判定された場合に認証失敗とする。【選択図】図１
2012202174.tif 000002
【特許請求の範囲】
【請求項１】
所持する人物毎に固有の認証情報が予め記憶された第１のタグと、
前記人物に所持され、前記認証情報が予め記憶された第２のタグと、
区画の扉に対応して設けられ、前記人物による所定の認証操作により前記第１のタグの前記認証情報を読み取って認証を行い、当該認証に成功した場合に前記対応する前記扉を通行可能とする第１の認証手段と、
前記扉へと通じる通路等に設けられ、前記通路等を通行する前記人物が所持する前記第２のタグの前記認証情報を無線通信により読み取って認証を行う第２の認証手段と、
予め設定した所定順序で前記第１の認証手段及び前記第２の認証手段における認証が行われたか否かを判定する判定手段と、を備え、
前記第１の認証手段及び前記第２の認証手段は、認証時に前記判定手段により前記所定順序で認証が行われていないと判定された場合に認証失敗とすることを特徴とする入退室管理システム。
【請求項２】
ある一の通路を挟んで２つの前記扉が配置され、
前記第１の認証手段は、前記２つの前記扉の両者のそれぞれに対応して２つ設けられ、
前記第２の認証手段は、前記一の通路と接続された他の通路に配置され、
前記所定順序は、前記両者のうちの一方に対応した前記第１の認証手段において認証された直後に、前記両者のうちの他方に対応した前記第１の認証手段において認証される順序に設定されたことを特徴とする請求項１に記載の入退室管理システム。
【請求項３】
前記第２の認証手段は、入退室に前記第１の認証手段による認証が不要である区画へと通じる通路等に設けられ、
所定の時間帯に前記第２の認証手段で認証処理が行われた場合に、警報を発報することを特徴とする請求項１に記載の入退室管理システム。
【請求項４】
前記第２の認証手段は、重要区画へと通じる通路等に設けられ、
所定の時間帯に前記第２の認証手段で認証処理が行われた場合に、警報を発報することを特徴とする請求項１に記載の入退室管理システム。
【発明の詳細な説明】
【技術分野】
【０００１】
この発明は、入退室管理システムに関するものである。
【背景技術】
【０００２】
従来における入退室管理システムにおいては、利用者が所持するＩＤカードによる認証によって所定の扉の通行を許可するものであって、ある扉の通行を許可するか否かの判定を、施設内に複数設置された認証装置におけるＩＤカードを用いた認証順序（扉の通過順序）を加味して行い、予め設定した正しい順序で認証されなければ扉の通行を許可しないようにしたもの（いわゆるルートチェック機能を有するもの）が知られている（例えば、特許文献１参照）。
【先行技術文献】
【特許文献】
【０００３】
【特許文献１】特開２００８−００７９４１号公報
【発明の概要】
【発明が解決しようとする課題】
【０００４】
しかしながら、特許文献１に示された従来における入退室管理システムは、ルートチェックを、各扉に設けられた認証装置におけるＩＤカードによる認証の順序のみに基づいて行っている。そして、このため、各認証装置での正しい認証順序すなわち各扉の正しい通過順序が外部の人間に知られてしまった場合、ＩＤカードが不正に利用されることで不正な通行を許してしまうという課題がある。特に、例えば警備員等の特定の属性を持つＩＤカード保持者は、ほとんど全ての扉を通行可能に設定されている場合が多いため、ＩＤカードの紛失や盗難等により悪意ある利用者に不正利用されると被害が大きくなってしまう。また、認証装置が設置されていない扉以外の通路や共用部分（以下「通路等」という）の通行を制限することができないという課題もある。
【０００５】
この発明は、このような課題を解決するためになされたもので、第１の目的は、ルートチェックを実施する入退室管理システムにおいて、従来のＩＤカードを用いた認証と比較して認証にかかる手間を増加させることなく、セキュリティ性を向上させることができる入退室管理システムを得るものである。
また、第２の目的は、認証装置が設置されていない扉以外の通路等の通行を制限することができる入退室管理システムを得るものである。
【課題を解決するための手段】
【０００６】
この発明に係る入退室管理システムにおいては、所持する人物毎に固有の認証情報が予め記憶された第１のタグと、前記人物に所持され、前記認証情報が予め記憶された第２のタグと、区画の扉に対応して設けられ、前記人物による所定の認証操作により前記第１のタグの前記認証情報を読み取って認証を行い、当該認証に成功した場合に前記対応する前記扉を通行可能とする第１の認証手段と、前記扉へと通じる通路等に設けられ、前記通路等を通行する前記人物が所持する前記第２のタグの前記認証情報を無線通信により読み取って認証を行う第２の認証手段と、予め設定した所定順序で前記第１の認証手段及び前記第２の認証手段における認証が行われたか否かを判定する判定手段と、を備え、前記第１の認証手段及び前記第２の認証手段は、認証時に前記判定手段により前記所定順序で認証が行われていないと判定された場合に認証失敗とする構成とする。
【発明の効果】
【０００７】
この発明に係る入退室管理システムにおいては、認証にかかる手間を増加させることなく、セキュリティ性を向上させたルートチェックを実施することができるという効果を奏する。また、認証装置が設置されていない扉以外の通路等の通行を制限することができるという効果も併せ奏する。
【図面の簡単な説明】
【０００８】
【図１】この発明の実施の形態１に係る入退室管理システムが設置された施設の平面図である。
【図２】この発明の実施の形態１に係る入退室管理システムの構成の概略を示すブロック図である。
【図３】この発明の実施の形態２に係る入退室管理システムが設置された施設の平面図である。
【発明を実施するための形態】
【０００９】
この発明を添付の図面に従い説明する。各図を通じて同符号は同一部分又は相当部分を示しており、その重複説明は適宜に簡略化又は省略する。
【００１０】
実施の形態１．
図１及び図２は、この発明の実施の形態１に係るもので、図１は入退室管理システムが設置された施設の平面図、図２は入退室管理システムの構成の概略を示すブロック図である。
図１において、１は、本入退室管理装置が設置された施設である。この施設１内には、仕切られて入退室制限が課された区画２が複数存在している。また、この施設１自体にも入退室制限が課されている。ここでは、施設１内には４つの区画２が設けられているとする。
【００１１】
施設１及び各区画２の出入口のそれぞれには、扉３が開閉自在に取り付けられている。ここでは、施設１の正面（図１に向かって下側）の出入口及び施設１の裏側（図１に向かって上側）の通用口、並びに、４つの区画２の出入口の計６つの出入口があり、これらの出入口のそれぞれに扉３が設けられている。すなわち、扉３の総数も６つである。各区画２の出入口の扉３を扉（Ａ）〜扉（Ｄ）と呼ぶ。これらの扉３は図示しない電気錠により施解錠される。
【００１２】
これら施設１の出入口及び通用口の２つの扉３、各区画２の出入口の４つの扉３（扉（Ａ）〜扉（Ｄ））は、略十字路状の通路４により繋がっている。なお、ここでは、単に通路４と呼んでいるが、この通路４は正確には通路及び共用部分を含むものであり、すなわち、前述した「通路等」である。
【００１３】
図２は本入退室管理システムの構成概略を示すものである。
施設１の各扉３及び施設１内の通路４を通過しようとする個人は、ＩＤカード５及びハンズフリータグ６を携行している。これらのＩＤカード５及びハンズフリータグ６には、複数の個人の各々を一意に識別する認証情報が予め記憶されている。
【００１４】
各扉３の近傍にはＩＤカード認証装置７がそれぞれ設置されている。これらのＩＤカード認証装置７は、ＩＤカード５に記憶された認証情報を取得して個人認証を行うためのものである。ＩＤカード５は、いわゆるパッシブ型のＲＦＩＤタグからなる非接触ＩＣカードである。ＩＤカード５を所持する個人により、ＩＤカード認証装置７に対して所定の認証操作（ＩＤカード５をＩＤカード認証装置７にかざす等）が行われると、ＩＤカード認証装置７は、このＩＤカード５に記憶されている認証情報を取得する。そして、ＩＤカード認証装置７は、この取得した認証情報を、予め設定された扉３の解錠及び通行を許可された個人の認証情報と照合して、個人認証を行う。
【００１５】
また、通路４における各扉３の付近ではない箇所には、１つ以上のハンズフリータグ認証装置８が設置されている。ここでは、ハンズフリータグ認証装置８は、通路４の施設１の正面出入口から各区画２の扉３へと通じる部分と、通路４の施設１の通用口から各区画２の扉３へと通じる部分の２箇所に設置されている。なお、以下においては、施設１の通用口から各区画２の扉３へと通じる箇所に設置されたものを第１のハンズフリータグ認証装置８、施設１の正面出入口から各区画２の扉３へと通じる箇所に設置されたものを第２のハンズフリータグ認証装置８とそれぞれ呼ぶ。
【００１６】
これらのハンズフリータグ認証装置８は、ハンズフリータグ６に記憶された認証情報を取得するためのものである。ハンズフリータグ６は、いわゆるアクティブ型のＲＦＩＤタグからなる。ハンズフリータグ６とハンズフリータグ認証装置８とによる通信可能範囲（タグ検出範囲）は、通路４のハンズフリータグ認証装置８が設置された箇所を通行する利用者が所持するハンズフリータグ６の認証情報を取得することができる程度の広さを持っている。
【００１７】
このタグ検出範囲内に個人が携行するハンズフリータグ６が入ると、ハンズフリータグ６は認証情報を無線通信によりハンズフリータグ認証装置８へと送信し、ハンズフリータグ認証装置８はこのハンズフリータグ６から送信された認証情報を受け取る。従って、個人がハンズフリータグ６を携行した状態で、このタグ検出範囲内に入るだけで、ハンズフリータグ認証装置８によるハンズフリータグ６の記憶する認証情報の取得が実施される。そして、ハンズフリータグ認証装置８は、この取得した認証情報を、予め設定された通路４の通行を許可された個人の認証情報と照合して、個人認証を行う。
【００１８】
各ＩＤカード認証装置７及び各ハンズフリータグ認証装置８は、制御装置９に接続されており、これらの認証装置における個人認証結果が、この制御装置９へと送られる。この制御装置９には、各認証装置における個人認証結果に基づいて、同一の認証情報について、予め設定した所定順序で各認証装置における認証が行われたか否かを判定する判定手段が備えられている。そして、制御装置９は、この判定手段により同一の認証情報についての各認証装置における認証順序が所定順序以外の順序であると判定した場合には異常が発生したことを検出する。このため、制御装置９には各認証装置における認証結果が、各認証情報毎に（各個人毎に）時系列的に記憶される。
【００１９】
ＩＤカード認証装置７が設けられた各扉３の電気錠を解錠する条件（ＩＤカード認証装置７において認証成功とされる条件）は、扉３に対応するＩＤカード認証装置７における個人認証に成功し、かつ、制御装置９の判定手段によりそれまでの認証順序が所定順序であると判定されることに設定されている。また、ハンズフリータグ認証装置８において認証成功とされる条件は、当該ハンズフリータグ認証装置８における個人認証に成功し、かつ、制御装置９の判定手段によりそれまでの認証順序が所定順序であると判定されることに設定されている。すなわち、これらの認証装置においては、制御装置９の判定手段により認証順序が異常であると判定された場合には、認証失敗となる。
【００２０】
なお、制御装置９の判定手段において判定の基準となる所定順序は、各個人すなわち各認証情報毎に個別に設定可能とすることができる。また、この所定順序は、ＩＤカード認証装置７やハンズフリータグ認証装置８毎に個別に設定することも可能である。
【００２１】
この各認証装置において認証成功とする条件について、具体例を挙げて詳細に説明する。ここでは、例えば、警備員が施設１内を警備巡回する際における各認証装置において認証成功とする設定条件についての例を挙げる。この例において、図１に示す１０が設定された警備員巡回ルートである。
【００２２】
この警備員巡回ルート１０は、具体的には、施設１の通用口の扉３から施設１内へと入り、通路４上の第１のハンズフリータグ認証装置８を通過して扉（Ａ）から部屋内へと入る。そして、扉（Ａ）を出て通路４を挟んで向かい側の扉（Ｂ）を通過して部屋内へと入る。続いて、扉（Ｂ）を出て通路４を進んで扉（Ｃ）から部屋内へと入る。扉（Ｃ）を出て通路４を挟んで向かい側の扉（Ｄ）を通過して部屋内へと入る。扉（Ｄ）を出たら、通路４上の第２のハンズフリータグ認証装置８を通過して施設１の出入口の扉３から施設１外へと出る、というルートである。
【００２３】
そして、この警備員巡回ルート１０に沿った順序で各認証装置での認証を行うことが各認証装置における認証成功の条件となっている。
すなわち、この場合、例えば、扉（Ａ）を解錠して通行可能とする条件として、扉（Ａ）に対応するＩＤカード認証装置７におけるＩＤカード５を用いた個人認証に成功し、かつ、この扉（Ａ）に対応するＩＤカード認証装置７における個人認証の前に、通路４上の第１のハンズフリータグ認証装置８におけるハンズフリータグ６を用いた認証に成功していること、が設定されている。つまり、この扉（Ａ）のＩＤカード認証装置７の場合の、制御装置９の判定手段における判定の基準となる所定順序は、第１のハンズフリータグ認証装置８において認証成功した後で、扉（Ａ）のＩＤカード認証装置７における個人認証に成功するというものに設定されている。
【００２４】
また、第１のハンズフリータグ認証装置８において認証成功とする条件として、第１のハンズフリータグ認証装置８におけるハンズフリータグ６を用いた個人認証に成功し、かつ、この第１のハンズフリータグ認証装置８における個人認証の前に、通用口の扉３に対応するＩＤカード認証装置７におけるＩＤカード５を用いた認証に成功していること、が設定されている。つまり、この第１のハンズフリータグ認証装置８の場合の、制御装置９の判定手段における判定の基準となる所定順序は、通用口の扉３に対応するＩＤカード認証装置７において認証成功した後で、第１のハンズフリータグ認証装置８における個人認証に成功するというものに設定されている。
【００２５】
そして、扉（Ｂ）を解錠して通行可能とする条件として、扉（Ｂ）に対応するＩＤカード認証装置７におけるＩＤカード５を用いた個人認証に成功し、かつ、この扉（Ｂ）に対応するＩＤカード認証装置７における個人認証の前に、扉（Ａ）に対応するＩＤカード認証装置７におけるＩＤカード５を用いた認証に成功していること、が設定されている。つまり、この扉（Ｂ）のＩＤカード認証装置７の場合の、制御装置９の判定手段における判定の基準となる所定順序は、扉（Ａ）のＩＤカード認証装置７において認証成功した後で、扉（Ｂ）のＩＤカード認証装置７における個人認証に成功するというものに設定されている。その他の各認証装置における認証成功の条件（所定順序）も同様に設定される。
【００２６】
以上のように、扉３におけるＩＤカード５を用いた認証と、扉３以外の通路４におけるハンズフリータグ６を用いた認証とを組み合わせるとともに、これらの認証に成功する条件にこれらの認証の順序をいれるようにすることで、例えば、通用口から扉３へ、という扉３の正しい通過順序（正しいルート）が外部の人間に知られてしまったとしても、ＩＤカード５だけでは、ハンズフリータグ６を用いた第１のハンズフリータグ認証装置８における認証に成功することがないため、扉（Ａ）を通行することができない。
【００２７】
なお、ここでは、制御装置９の判定手段における判定の基準となる所定順序として、各認証装置での認証の前後関係のみを設定するようにした。しかし、この点については、所定順序として単に前後関係のみでなく、さらに厳密な認証順序を設定することで、さらにセキュリティ性を向上させることが可能である。
【００２８】
例えば、扉（Ｂ）を解錠して通行可能とする条件として、扉（Ｂ）に対応するＩＤカード認証装置７におけるＩＤカード５を用いた個人認証に成功し、かつ、この扉（Ｂ）に対応するＩＤカード認証装置７における個人認証の直前に、扉（Ａ）に対応するＩＤカード認証装置７におけるＩＤカード５を用いた認証に成功していること、という条件を設定する。すなわち、この扉（Ｂ）のＩＤカード認証装置７の場合の、制御装置９の判定手段における判定の基準となる所定順序は、扉（Ａ）のＩＤカード認証装置７において認証成功した直後に、扉（Ｂ）のＩＤカード認証装置７における個人認証に成功する、というものに設定する。
【００２９】
このように設定することで、２つの扉が通路を挟んで互いに対向して配置されており、かつ、正しいルートとしてこれらの２つの扉を続けて順に通行するというルートを設定した場合に、扉が設けられていない通路の通行を間接的に制限するようにすることが可能である。すなわち、扉（Ａ）に対応するＩＤカード認証装置７における認証に成功した後（扉（Ａ）を出た後）、扉（Ｂ）を通行する前に通路４を移動して第１のハンズフリータグ認証装置８や第２のハンズフリータグ認証装置８において認証されてしまうと、扉（Ｂ）に対応するＩＤカード認証装置７における認証の直前に行われた認証が、扉（Ａ）に対応するＩＤカード認証装置７でのものではないことになる。このため、ルートが正しくないことを検出して扉（Ｂ）に対応するＩＤカード認証装置７における認証は失敗となり、扉（Ｂ）を通行できないようにすることができる。このようにして、扉３が設けられていない通路４の部分についても、間接的にその通行を制限するようにすることが可能である。
【００３０】
以上のように構成された入退室管理システムは、所持する人物毎に固有の認証情報が予め記憶された第１のタグであるＩＤカードと、前記人物に所持され、前記認証情報が予め記憶された第２のタグであるハンズフリータグと、区画の扉に対応して設けられ、前記人物による所定の認証操作により第１のタグの認証情報を読み取って認証を行い、当該認証に成功した場合に前記対応する扉を通行可能とする第１の認証手段であるＩＤカード認証装置と、扉へと通じる通路等に設けられ、通路等を通行する前記人物が所持する第２のタグの認証情報を無線通信により読み取って認証を行う第２の認証手段であるハンズフリータグ認証装置と、予め設定した所定順序で第１の認証手段及び第２の認証手段における認証が行われたか否かを判定する判定手段と、を備え、第１の認証手段及び第２の認証手段は、認証時に判定手段により前記所定順序で認証が行われていないと判定された場合に認証失敗とするものである。
【００３１】
このため、ＩＤカードだけでなくハンズフリータグを所持していないと通行できないため、セキュリティ性を向上させたルートチェックを行うことができる。また、第２の認証手段として無線通信により認証を行うハンズフリータグ認証装置を用いたことによりＩＤカードを用いた場合と比較して認証操作が追加されることがなく認証にかかる手間が増加されることがない。さらに、ハンズフリータグ認証装置は、利用者から見えない箇所に設置しても支障なく認証可能であるため、正しいルートが部外者に知られにくい。さらにまた、ハンズフリータグ認証装置を通路等に配置したため、扉以外の箇所における通行を制限することが可能である。
【００３２】
実施の形態２．
図３は、この発明の実施の形態２に係るもので、入退室管理システムが設置された施設の平面図である。
ここで説明する実施の形態２は、前述した実施の形態１の構成において、夜間や休日等に所定の箇所に設置されたハンズフリータグ認証装置で認証処理が行われた場合には、警備センター等の夜間や休日等に当該施設の警備・監視行っている場所に警報を発報するようにしたものである。この警報を発報するようにしたハンズフリータグ認証装置は、例えば、扉自体が設けられていない、あるいは、扉が設けられていてもＩＤカード認証装置が設置されていない会議室等の区画へと通じる通路等（又は当該区画の出入口近傍）や、セキュリティレベルが高い重要区画へと通じる通路等に設けられる。
【００３３】
図３においては、４つの区画が設けられている。これら４つの区画のうち、図面に向かって右側２つは一般区画２ａである。そして、左下の区画は会議室２ｂであり、左上の区画は重要区画２ｃである。会議室２ｂには、扉３が設けられておらず出入口が開放された状態であり、ＩＤカード認証装置７も設けられていない。あるいは、出入口に扉３は設けられているが、ＩＤカード認証装置７は設けられていない区画である。従って、この会議室２ｂへの入退室にはＩＤカード認証装置７による認証が必要とされていない。重要区画２ｃは他の一般区画２ａと比較して、セキュリティレベルが高く設定された区画である。
【００３４】
これら４つの区画は、十字路状の通路４により繋がっている。そして、この十字路の交差点から会議室２ｂ及び重要区画２ｃへと通じる部分の通路４には、ハンズフリータグ認証装置８が設置されている。このハンズフリータグ認証装置８は、予め設定された所定の時間帯において、そのタグ検出範囲内にハンズフリータグ６を検出して認証処理を実施した場合に、不正通行が行われたとしてその旨の警報を発報するようになっている。警報が発報される所定の時間帯は、例えば夜間や休日等に設定される。又は、最後に当該施設を出る者が警報が発報されるように設定操作し、翌日や休日明けに初めて当該施設に入るものが警報発報設定の解除操作をするようにしてもよい。
なお、他の構成については実施の形態１と同様であって、その詳細説明は省略する。
【００３５】
以上のように構成された入退室管理システムは、実施の形態１の構成において、第２の認証手段であるハンズフリータグ認証装置を、入退室に第１の認証手段であるＩＤカード認証装置による認証が不要である区画や、重要区画へと通じる通路等に設け、所定の時間帯に第２の認証手段で認証処理が行われた場合に警報を発報するようにしたものである。
【００３６】
このため、実施の形態１と同様の効果を奏することができるのに加えて、入退室にＩＤカードによる認証が不要である区画や重要区画のセキュリティ性をさらに向上させることができる。加えて、ハンズフリータグの所持者が立ち寄る必要のない時間帯に重要区画に近づこうとした場合に、これを不審行動して検出して警報を発報するとともに、当該ハンズフリータグの認証情報から不審行動者を特定することが可能である。
【符号の説明】
【００３７】
１    施設
２    区画
２ａ  一般区画
２ｂ  会議室
２ｃ  重要区画
３    扉
４    通路
５    ＩＤカード
６    ハンズフリータグ
７    ＩＤカード認証装置
８    ハンズフリータグ認証装置
９    制御装置
１０    警備員巡回ルート
【図１】
2012202174.tif 000003
【図２】
2012202174.tif 000004
【図３】
2012202174.tif 000005